(57)【要約】【課題】フォーカス精度を修正することができる、レーザポインターの焦点調整構造を提供する。【解決手段】レーザポインターの焦点調整構造は、固定管１、変位管２及び調整管３を備える。固定管１は、一端にレーザポインター６が配設されてレーザ光が中を透過するとともに、他端に結合部１１が設けられる。結合部１１は、外結合面１２及び内結合面１３を有する。外結合面１２は、少なくとも１つのストッパ１４を有する。内結合面１３は、第１のねじ部１５を有する。変位管２の外側には、第２のねじ部２１が設けられる。第２のねじ部２１は、内結合面１３の第１のねじ部１５に可動可能に螺合される。変位管２内には、レーザ光を受光して焦点を調整するレンズ４１を有するレンズホルダ４が配設される。調整管３は、固定管１の外結合面１２に外嵌されるとともに、固定管１に対して両方向で旋回可能である。【選択図】図１
0003212651.tif 000002
【実用新案登録請求の範囲】
【請求項１】
固定管、変位管及び調整管を備えたレーザポインターの焦点調整構造であって、
前記固定管は、一端にレーザポインターが配設されてレーザ光が中を透過するとともに、他端に結合部が設けられ、前記結合部は、外結合面及び内結合面を有し、前記外結合面は、少なくとも１つのストッパを有し、前記内結合面は、第１のねじ部を有し、
前記変位管の外側には、第２のねじ部が設けられ、前記第２のねじ部は、前記内結合面の前記第１のねじ部に可動可能に螺合され、前記変位管内には、レーザ光を受光して焦点を調整するレンズを有するレンズホルダが配設され、
前記調整管は、前記固定管の前記外結合面に外嵌されるとともに、前記固定管に対して両方向で旋回可能であり、前記調整管には、接続部材を介して前記変位管が接続され、前記変位管は、前記調整管と同期で旋回し、前記レンズホルダは前記固定管で移動し、前記調整管には、少なくとも１つの位置決めブロックが延設され、前記調整管を各方向へ旋回させて前記固定管の前記ストッパに当接されると２つの停止状態が形成され、前記調整管が停止するまで旋回されると、前記レンズホルダの位置によりレーザ光が集光されて光点が形成されることを特徴とするレーザポインターの焦点調整構造。
【請求項２】
前記変位管の外側には、少なくとも１つの溝部が凹設され、
前記接続部材には、前記調整管内に強固に嵌着されるとともに、各前記溝部に対応するピンが延設され、
前記変位管の内側には、第３のねじ部が設けられ、
前記レンズホルダは、前記第３のねじ部に可動可能に螺合する第４のねじ部と、前記レンズホルダの旋回を制御する制御部と、を有し、
前記変位管内には、前記レンズホルダに付勢力を作用させるばねが配設され、
前記固定管の外側は、化粧カバーにより覆われることを特徴とする請求項１に記載のレーザポインターの焦点調整構造。
【考案の詳細な説明】
【技術分野】
【０００１】
本考案は、レーザポインターに関し、特に、レーザポインターの焦点調整構造に関する。
【背景技術】
【０００２】
レーザポインターは、講演会場などで特定の場所を指し示すために用いるツールであり、レーザ光を発してスクリーン上に明るい光点を表示し、プロジェクターで表示した映像やポスター上の資料の位置などをはっきりと指し示すことができる。従来のレーザポインターは、発光素子とレンズとの相対位置を調整し、集光された光点を形成するか大きく拡散した模様を形成することができるため、使用者のニーズを満たすことができる。特許文献１が開示している技術は、レンズが固定設置され、発光素子を移動させて光点の大きさを調整することができる。しかし発光素子が、給電素子に接続された電線を有するため、発光素子を頻繁に移動させると電線が緩んだり断裂して故障したりする虞があるという欠点があった。
【０００３】
また、特許文献２で開示されている技術は、特許文献１の技術と異なり、発光素子が固定設置され、レンズを移動させて光点の大きさを調整している。しかし特許文献２の構造は、光点を調整することができるが、レンズの移動行程の１箇所でしかレーザ光を集光して光点を形成し、位置をはっきりと指し示すことができなかったため、使用者は調整する際、その位置を正確に知ることが容易でなく、適時、集光して光点を形成することが困難であり、使い勝手が悪かった。
【０００４】
しかし、上述した特許文献１及び特許文献２には、レンズ又は発光素子を固定設置した場合、その固定設置した位置は変更できないという共通した欠点があり、可動性の発光素子又はレンズにより光点の調整を行うことはできるが、固定設置した位置が元の位置からずれるとフォーカス精度が低下し、光点を所望の状態にすることが困難となった。
【先行技術文献】
【特許文献】
【０００５】
【特許文献１】台湾実用新案登録第４１７９０５号公報
【特許文献２】台湾実用新案公告第Ｍ３２６２８１号公報
【考案の概要】
【考案が解決しようとする課題】
【０００６】
本考案の主な目的は、レンズホルダを行程中で移動し、行程の一端点で集光された光点を形成することができるため、使用者は容易に調整できる上、調整レンズ及びレンズホルダの相対位置により行程長さを微調整してフォーカス精度を修正することができる、レーザポインターの焦点調整構造を提供することにある。
【図面の簡単な説明】
【０００７】
【図１】図１は、本考案の一実施形態に係るレーザポインターの焦点調整構造を示す分解斜視図である。
【図２】図２は、本考案の一実施形態に係るレーザポインターの焦点調整構造の調整管の一停止状態を示す断面斜視図である。
【図３】図３は、図２の動作状態を示す断面図である。
【図４】図４は、本考案の一実施形態に係るレーザポインターの焦点調整構造の調整管の別の停止状態を示す断面斜視図である。
【図５】図５は、図４の動作状態を示す断面図である。
【図６】図６は、本考案の一実施形態に係るレーザポインターの焦点調整構造のレンズホルダを調整するときの状態の断面図である。
【考案を実施するための形態】
【０００８】
以下、本考案の実施形態について図に基づいて説明する。なお、これによって本考案が限定されるものではない。
【０００９】
図１〜図３を参照する。図１〜図３に示すように、本考案の一実施形態に係るレーザポインターの焦点調整構造は、少なくとも固定管１、変位管２及び調整管３から構成されてなる。
【００１０】
固定管１は、一端にレーザポインター６が配設されてレーザ光がその中を透過する。固定管１の外側は、化粧カバー５により覆われ、レーザポインター６全体の外観は同じ高さで揃う。固定管１の他端には結合部１１が設けられる。結合部１１は、外側に設けられた外結合面１２と、内側に設けられた内結合面１３と、を有する。外結合面１２は、少なくとも１つのストッパ１４を有し、内結合面１３は、第１のねじ部１５を有する。
【００１１】
変位管２は、外側に第２のねじ部２１が設けられ、内側に第３のねじ部２２が設けられる。変位管２は、固定管１の内側に設けられ、第２のねじ部２１が第１のねじ部１５に螺合され、ねじ部により変位管２が旋回されると固定管１が変位する。変位管２内には、レーザ光を受光して焦点を調整するレンズ４１を有するレンズホルダ４が配設される。
【００１２】
また、調整管３は、固定管１の外結合面１２に外嵌されるとともに、固定管１に対して両方向で旋回可能である。調整管３には、接続部材３１を介して変位管２が接続され、変位管２は、調整管３と同期で旋回する。図１及び図２に示すように、本実施形態において、変位管２の外側には２つの溝部２３が凹設されている。接続部材３１は、本体３１１と、一側へ延びた２つのピン３１２と、を有する。本体３１１の外形は、調整管３の内径より略大きく、接続部材３１の本体３１１が調整管３へ嵌入されると、調整管３を強固に嵌合させることができる。２つのピン３１２が変位管２の２つの溝部２３にそれぞれ入り込んでいるため、調整管３、接続部材３１及び変位管２は連動し、調整管３が旋回すると、接続部材３１により変位管２が同期で旋回し、レンズホルダ４が固定管１に対して移動する。
【００１３】
調整管３には、固定管１へ向かって位置決めブロック３２が延設され、調整管３を旋回させて固定管１のストッパ１４に当接されると調整管３の旋回が止まり、調整管３の旋回行程が定義され、変位管２の移動行程もそれに対応して定義される。言い換えると、図２に示すように、位置決めブロック３２がストッパ１４の一側へ当接されるまで調整管３が順方向で旋回されると、固定管１中で変位管２が図３の示す位置まで移動する。図４に示すように、位置決めブロック３２がストッパ１４の他側へ当接されるまで調整管３が逆方向で旋回されると、変位管２が固定管１中で図５が示す位置まで移動する。上述したように、２つの位置決めブロック３２がストッパ１４に当接される位置により２つの停止状態が形成される。本実施形態において、調整管３が一停止状態になるまで旋回されると、レンズホルダ４の位置によりレーザ光が集光されて光点が形成され、調整管３が他の停止状態になるまで旋回されると、レーザ光が大きく拡散された模様に形成される。
【００１４】
上述の構造により、使用者が調整管３を旋回させると変位管２及びレンズホルダ４の位置が移動し、光点のフォーカス状態を調整することができる。レーザ光を集光して光点を形成するときの変位管２及び調整管３の相対位置を、位置決めブロック３２とストッパ１４とが当接される位置により設定することにより、使用者は迅速かつ容易にレーザ光を集光して光点を形成することができる。
【００１５】
また、図１に示すように、本実施形態において、レンズホルダ４には、変位管２の第３のねじ部２２と螺合する第４のねじ部４２が外側に設けられている。レンズホルダ４の制御部４３を利用し、工具（図示せず）により操作するとレンズホルダ４が旋回する。変位管２内には、ばね２４が配設される。ばね２４は、レンズホルダ４に付勢力を作用させ、レンズホルダ４を変位管２内に強固に固定させることができる。そのためレンズホルダ４が旋回すると変位管２が変位し、光点の集光状態を調整することができる。図６に示すように、レンズホルダ４が元の位置からずれてフォーカス精度が悪くなった場合、保守技術者は工具７を使用してレンズホルダ４の位置を調整し、フォーカス精度を修正することができる。
【符号の説明】
【００１６】
１  固定管
２  変位管
３  調整管
４  レンズホルダ
５  化粧カバー
６  レーザポインター
７  工具
１１  結合部
１２  外結合面
１３  内結合面
１４  ストッパ
１５  第１のねじ部
２１  第２のねじ部
２２  第３のねじ部
２３  溝部
２４  ばね
３１  接続部材
３２  位置決めブロック
４１  レンズ
４２  第４のねじ部
４３  制御部
３１１  本体
３１２  ピン
【図１】
0003212651.tif 000003
【図２】
0003212651.tif 000004
【図３】
0003212651.tif 000005
【図４】
0003212651.tif 000006
【図５】
0003212651.tif 000007
【図６】
0003212651.tif 000008